(57)【特許請求の範囲】
【請求項１】
固定盤と可動盤の対向面の下側に設けられて、側方からの分割型による一組の金型を盤間に仮支持する複数の支持ローラと、
その支持ローラの延長部をなすエントランスローラを側面に有し、そのエントランスローラを内側にして固定盤と可動盤の金型挿入側の側部下側に取付けたブロックと、
可動盤側の上記ブロックのエントランスローラ間に配設した制限部材とからなり、
その制限部材はエントランスローラよりも長く、各ローラの支持許容範囲より先方に位置する先端部に、盤間距離（Ｌ）と金型厚さ（Ｄ）との差により、可動盤側のローラの支持許容範囲から外れた位置の金型の型取付板と接して、該金型の挿入を阻止する凸部を上向きに有し、
その凸部により金型の落下を事前に防止してなることを特徴とする金型取付時の金型落下防止方法。
【発明の詳細な説明】
【０００１】
【発明の属する技術分野】
この発明は、射出成形機の型締装置に金型を取付ける際の金型の落下を防止する方法に関するものである。
【０００２】
【従来の技術】
型締装置への金型の取付けは、先ずスイッチ操作により可動盤を後退または前進移動して、金型厚さに応じた取付けスペースを固定盤と可動盤との間に形成する。次に固定盤と可動盤の対向面下側には、所要数の支持ローラが同一高さレベルにて一定間隔ごとに取り付けてあるので、予め台車に載せて型締装置の側部に運び込んだ金型を、台車の上から盤内の両方の支持ローラにわたり押し入れて盤間に仮支持する。
【０００３】
金型は分割型を一つに組みつけたもので両端部に所要厚さの型取付板を有し、この型取付板を支持ローラが支持している。この状態では金型両端の型取付板と各盤面との間に余分なスペースが残っているので、位置合わせ後に可動盤を前進移動してスペースをなくすとともに、両方の型取付板を固定盤と可動盤の盤面にそれぞれ当接する。そして最後にクランプ装置により固定している。
【０００４】
【発明が解決しようとする課題】
このような側方からの金型の取付けにおいて、盤間距離が金型厚さよりも著しく大きいと、盤内両側の支持ローラに跨って金型が挿入されず、金型は片側が支持ローラから外れて落下する。そこで事前に目視により開き距離と金型厚さとを比較して盤間距離の適否判断を行い。不適当な場合には再び可動盤の移動操作を行って調整してから金型の挿入を行うようにしている。
【０００５】
しかし、操作位置による目測判断の誤りや調整操作の怠りなどから、不適当な状態でも金型の挿入が行われ、金型を落下させることがことがある。これを防止する手段として、金型の厚さに対応した盤間距離を近接スイッチなどにより電気的に検出し、金型の挿入を阻止する位置に予め配設したストッパーを、適正距離の検出時のみエア駆動などにより除いて、金型の挿入を行えるようにした金型落下防止手段が一部で採用されている。
【０００６】
この従来手段では、目測による場合の課題は解決されるが、盤間距離の検出に電気的手段を採用し、さらに電気信号によりストッパーを駆動する装置を必要とすることからコストが掛かり、また金型厚ごとに検出位置の設定あるいはデータ入力を行う必要があるなどの手数をも有する。
【０００７】
この発明は上記従来の課題を解決するために考えられたものであって、その目的は、電気的な検出手段及び駆動手段を要せず、機械的手段のみをもって盤間距離の不適正時の金型の挿入を阻止することにより、金型取付けに際する金型の落下を防止し得る新たな方法を提供することにある。
【０００８】
【課題を解決するための手段】
上記目的によるこの発明は、固定盤と可動盤の対向面の下側に設けられて、側方からの分割型による一組の金型を盤間に仮支持する複数の支持ローラと、その支持ローラの延長部をなすエントランスローラを側面に有し、そのエントランスローラを内側にして固定盤と可動盤の金型挿入側の側部下側に取付けたブロックと、可動盤側の上記ブロックのエントランスローラ間に配設した制限部材とからなり、その制限部材はエントランスローラよりも長く、各ローラの支持許容範囲より先方に位置する先端部に、盤間距離（Ｌ）と金型厚さ（Ｄ）との差により、可動盤側のローラの支持許容範囲から外れた位置の金型の型取付板と接して、該金型の挿入を阻止する凸部を上向きに有し、その凸部により金型の落下を事前に防止してなる、というものである。
【０００９】
【発明の実施の形態】
図中１は機台上に縦に設置した固定盤、２は固定盤１に対し進退自在にタイバー３に挿通して設けた可動盤で、図では省略したが、対向面の縁辺に型取付用のクランプ装置が設けてあり、対向面の下側には４個の支持ローラ４，５が高さ位置を同じくしてそれぞれ回転自在に軸設してある。
【００１０】
また固定盤１と可動盤２の金型挿入側の側部下側には、上記支持ローラ４，５の延長部をなす２個のエントランスローラ６，７がブロック８，９に軸承して設けてある。これら支持ローラ４，５及びエントランスローラ６，７は同一外径及び同一長さのものからなる。
【００１１】
１０は金型で、一対の分割型を後に分割可能な状態に仮止めして一つに組み合わせたものからなり、型本体の両端には所要板厚の型取付板１１，１２が、周縁を型本体よりも突出させて固着してある。
【００１２】
１３は可動盤側のエントランスローラ７の間に配設した制限部材で、支持ローラ５及びエントランスローラ７よりも長く、先端部に上向きに突出した凸部１４を有する角形の部材を、凸部１４が各ローラの支持許容範囲より先方に位置するように上記ブロック９の内側に止着したものからなる。
【００１３】
１５は金型移送用の台車で、上面の両側に金型１０の上記型取付板１１，１２を支持するとともにガイドする受ローラ１６，１７を備え、それら受ローラ１６，１７に跨がって金型１０が載置してある。また台車１５は片側の受ローラ１６が上記固定盤側のエントランスローラ６の延長線上に位置するように機台側面に運び置かれる。
【００１４】
上記固定盤１及び可動盤２への金型１０の取付けは、これまでと同様に先ずスイッチ操作により可動盤２を後退または前進移動して、金型厚さＤに応じた盤間距離Ｌを固定盤１と可動盤２との間に形成する。次に台車１５の位置を整えて金型１０の片側の型取付板１１が受ローラ１６から上記固定盤側のエントランスローラ６から乗り移るようにする。
【００１５】
目測により盤間距離Ｌが金型厚さＤからみて許容範囲と判断されたたならば、台車１５に載置した金型１０をそのまま盤間に押し入れる。目測に誤りがないときには、両側の型取付板１１，１２がエントランスローラ６，７に乗り移り、さらに支持ローラ４，５に移って取付け位置までの挿入が可能となる。
【００１６】
盤間距離Ｌが金型厚さＤよりも大きく、可動盤側のローラ位置が金型厚さＤよりも外にずれていても、図３に示すように、そのずれ寸法Ｌａがローラの支持許容範囲であれば、型取付板１２が制限部材１３のローラ先方の凸部１４に突き当ることはないので、取付け位置まで金型１０を挿入することができる。
【００１７】
盤間距離Ｌが金型厚さＤよりもさらに大きく、可動盤側のローラ位置が金型厚さＤよりも著しく外にずれて、図４に示すように、ずれ寸法Ｌｂがローラによる支持許容範囲外となると、型取付板１２がそのずれ分だけローラからはみ出して、制限部材１３のローラ先方の凸部１４に突き当る。このため型取付板１２の一部がエントランスローラ７に乗り掛かっていても、支持ローラ５への乗り移りが行えず、金型１０の挿入が不可能となる。
【００１８】
この金型挿入側のローラ部位での制限部材１３による挿入制限では、金型１０の殆どが台車側に支持されている状態で行われるので、両側のエントランスローラ６，７から型取付板１１，１２が全く外れた状態であっても、金型１０は落下するようなことはない。
【００１９】
したがって、この発明によれば金型挿入に際する作業者の位置が台車１５に載置された金型１０の後で目測を誤ったとしても、盤間距離Ｌと金型厚さＤとの差による金型の落下が事前に防止され、また落下防止のための特別な操作をしないことから、誤操作による金型の落下もなく、手段としてはエントランスローラ７よりも長く、先端部に凸部１４を上向きに有する制限部材１３を、可動盤２の金型挿入側の側部下側に取付けたブロック９のエントランスローラ間に配設して置くだけであるから簡単で、従来装置よりも低コストとなるなどの利点を有する。
【図面の簡単な説明】
【図１】  この発明に係る金型取付時の金型落下防止方法を実施し得る型締装置の略示平面図である。
【図２】  制限部材による金型挿入阻止状態を鎖線にて示す図１のＡ−Ａ線断面図である。
【図３】  盤間距離が許容範囲の場合の説明図である。
【図４】  盤間距離が許容範囲以上の場合の説明図である。
【符号の説明】
１    固定盤
２    可動盤
４    固定盤側の支持ローラ
５    可動盤側の支持ローラ
６    固定盤側のエントランスローラ
７    可動盤側のエントランスローラ
８    固定盤側のエントランスブロック
９    可動盤側のエントランスブロック
１０    金型
１１    型取付板
１２    型取付板
１３    制限部材
１４    凸部
１５    台車
１６    台車上のガイドを兼ねる受けローラ
１７    台車上の受ローラ
Ｄ    金型厚さ
Ｌ    盤間距離
【図１】
0003740619.tif 000002
【図２】
0003740619.tif 000003
【図３】
0003740619.tif 000004
【図４】
0003740619.tif 000005